(57)【要約】【課題】  襟ぐりや袖ぐりが広い衣服やスポーツウェア等にも、着用者の体形にフィットしたブラジャーを使用して体形の補正やホールドを行い、ブラジャーの位置ずれも防ぐことができるブラジャー用ストラップを提供する。【解決手段】  長さ調整機能が付いた紐体１２と、紐体１２の一端部に取り付けられた第一連結具１４と、第一連結具１４の反対側の端部に取り付けられた第二連結具１８が設けられている。第一連結具１４はストラップレスブラジャー２６に取り付けられたブラジャー側取付部材３０に係止され、第二連結具１８は衣服２０の内側に取り付けられた衣服側取付部材２４に係止される。衣服側取付部材２４は衣服の襟ぐりの身体前側に設けられ、ブラジャー側取付部材３０はストラップレスブラジャー２６のカップ部２８の上端部に設けられている。【選択図】図１
0003120593.tif 000002
【実用新案登録請求の範囲】
【請求項１】
長さ調整機能が付いた紐体と、前記紐体の一端部に取り付けられた第一連結具と、前記第一連結具の反対側の端部に取り付けられた第二連結具が設けられ、前記第一連結具はストラップレスブラジャーに取り付けられたブラジャー側取付部材に係止され、前記第二連結具は衣服の内側に取り付けられた衣服側取付部材に係止されることを特徴とするブラジャー用ストラップ。
【請求項２】
前記第一連結具は、前記紐体の取付角度がほぼ一定であり、前記第二連結具は、前記紐体の取付角度が移動可能であることを特徴とする請求項１記載のブラジャー用ストラップ。
【考案の詳細な説明】
【技術分野】
【０００１】
この考案は、衣服にブラジャーを連結するブラジャー用ストラップに関する。
【背景技術】
【０００２】
従来、キャミソール、タンクトップ等、襟ぐりまたは袖ぐりの広い衣服を着用する際、中に着用しているブラジャーのストラップが見えることがある。これを防ぐために、ストラップが無いものや取り外し可能なストラップレスブラジャーや、チューブトップ形のものを着用することがある。しかし、胸から脇を経て背中に巻きまわされた部分だけで身体に係止されているため、運動をしたり長時間着用したりすると、下に移動することがあった。また、衣服から見えても良いデザインのブラジャーを着用したり、ストラップを見えても良いデザインのものに交換したりする方法もある。
【０００３】
その他、図4に示すように衣服１の胸の部分にカップ部材２が取り付けられ、ブラジャーを着用しないキャミソールやスポーツウェアもある。これは、二つのカップ部材２が互いに紐体３で連結され、さらに両脇に紐体３が延出して取り付けられ、一対のカップ部材２の上端部にも、紐体３が上方に延出して取り付けられている。各紐体３の先端には連結具４が取り付けられ、各紐体３の途中には長さ調節具５が取り付けられている。衣服１の袖ぐりの前の部分と脇には、取付部材６が設けられ、紐体３の連結具４が取付部材６に係止され、カップ部材２を固定可能に設けられている。
【０００４】
また、衣服にストラップレスブラジャーを係止する方法として、特許文献1に開示されているように、ブラジャーの取付けが出来るキャミソールがあった。これは、キャミソールの裏側に、キャミソールのストラップに連続して吊紐が固定され、この吊紐の先端にカギが取り付けられている。そして使用方法は、キャミソールの下にストラップレスブラジャーを着用し、ストラップレスブラジャーのストラップを付ける取付部材にキャミソール側のカギを係止するものである。これによりストラップレスブラジャーを、吊紐を介してキャミソールに取り付け、ストラップブラジャーが位置ずれすることなく安定して着用することができ、ブラジャーのストラップがないため見える心配がないものである。
【特許文献１】特開２００３−１７１８０３号公報
【考案の開示】
【考案が解決しようとする課題】
【０００５】
上記従来の技術の、キャミソール等を着るときに見えてもよいブラジャーを着用したり見えてもよいストラップに交換したりする方法は、そのためのブラジャーを用意しなければならず費用がかかり面倒である。ストラップの素材によっては、着用感が良くないものもあった。
【０００６】
また図４に示すように衣服１にカップ部材２を取り付けたものは、カップ部材２の形状が着用者に合わないことがあり、着用感が良好でなく外観が不自然になることがあった。また、カップ部材２が身体に密着しないため、通常のブラジャーのように体形を補正したり胸の揺れをホールドしたりする機能がなかった。
【０００７】
特許文献１に開示されているように、ブラジャーの取付けが出来るキャミソールは、ブラジャーを使用することが可能であるが、吊紐がキャミソールに固定されているため不要なときに吊紐を外すことが出来ず、着用感が良くなかった。
【０００８】
この考案は、上記従来の技術の問題点に鑑みてなされたものであり、襟ぐりや袖ぐりが広い衣服やスポーツウェア等にも、着用者の体形にフィットしたブラジャーを使用して体形の補正やホールドを行い、ブラジャーの位置ずれも防ぐことができるブラジャー用ストラップを提供することを目的とする。
【課題を解決するための手段】
【０００９】
本考案は、長さ調整機能が付いた紐体と、前記紐体の一端部に取り付けられた第一連結具と、前記第一連結具の反対側の端部に取り付けられた第二連結具が設けられているブラジャー用ストラップであり、前記第一連結具はストラップレスブラジャーに取り付けられたブラジャー側取付部材に係止され、前記第二連結具は衣服の内側に取り付けられた衣服側取付部材に係止される。衣服側取付部材は衣服の襟ぐりの身体前側に設けられ、ブラジャー側取付部材は、ストラップレスブラジャーのカップ部の上端部に設けられている。
【００１０】
また、前記第一連結具は、前記紐体を取り付ける環部が溝状に形成されて前記紐体の取付角度がほぼ一定であり、前記第二連結具は、前記紐体を取り付ける環部が半円状に形成されて前記紐体の取付角度が移動可能である。
【００１１】
前記衣服は、主にキャミソールやタンクトップ、スポーツウェア等、襟ぐりや袖ぐりが広く開いたものに好適である。
【考案の効果】
【００１２】
本考案のブラジャー用ストラップは、簡単な構造で、ストラップレスブラジャーを襟ぐりや袖ぐりが広い衣服等の下に取り付けて着用することができ、着用者の体形にフィットしたブラジャーを使用して体形の補正やホールドを行い、ブラジャーの位置ずれも防ぎ、運動の際や長時間での快適な着用が可能である。また、襟ぐりや袖ぐりが広い衣服においては、衣服からブラジャーのストラップが見えることがなく、確実に胸を保持し、外観も良好である。
【考案を実施するための最良の形態】
【００１３】
以下、この考案の実施形態について図面に基づいて説明する。図１〜図３はこの考案の一実施形態を示すもので、この実施形態のブラジャー用ストラップ１０は、図３に示すように適度な伸縮性を有する帯状の紐体１２が設けられ、紐体１２の一方の端部１２ａには、第一連結具１４が取り付けられている。第一連結具１４は、紐体１２が挿通される環部１４ａと、環部１４ａに連続するフック部１４ｂが設けられている。環部１４ａの中心の挿通孔の形状は、一方向に長い溝状であり、その長さは紐体１２の幅が僅かなゆとりを有して挿通される長さである。フック部１４ｂは、環部１４ａの端部近傍の周縁部から棒状に延出し、環部１４ａに沿って折り曲げられ、中央部が基端部側に膨らんだ形状に形成されている。紐体１２の端部１２ａは、第一連結具１４の環部１４ａに挿通され、折り返して紐体１２に重ねて縫い付けられている。
【００１４】
紐体１２の端部１２ａと反対側の端部１２ｂには、止め具１６が取り付けられている。止め具１６は、板状の本体に長い溝状の挿通孔１６ａが互いに平行に並んで設けられ、一対の挿通孔の間には棒状の押さえ部１６ｂが位置している。紐体１２の、端部１２ａの反対側の端部１２ｂは、止め具１６の一方の挿通孔から挿通され押さえ部１６ｂを通過して他方の挿通孔に挿通され、さらに延出している。
【００１５】
紐体１２には、第一連結具１４とは止め具１６を挟んで反対側に、第二連結具１８が取り付けられている。第二連結具１８は、紐体１２が挿通される環部１８ａと、環部１８ａに連続するフック部１８ｂが設けられている。環部１８ａの中心の挿通孔の形状は、直線と曲線からなる半円状であり、直線部分の長さが紐体１２の幅より僅かに長く形成されている。フック部１８ｂは、環部１８ａの直線部分の端部近傍から棒状に延出し、環部１８ａの直線部分の外側に沿って折り曲げられ、中央部が基端部側に膨らんだ形状に形成されている。
【００１６】
紐体１２の端部１２ｂは、第二連結具１８の環部１８ａに挿通され、環部１８ａの曲線部分に沿って折り返されて止め具１６に達している。端部１２ｂは、止め具１６の第二連結具１８に近い挿通孔１６ａから挿入され、押さえ部１６ｂと先に通した紐体１２との間を通過して他方の挿通孔１６ａから引き出されている。これにより、端部１２ｂは所定位置で止め具１６に係止される。
【００１７】
次に、ブラジャー用ストラップ１０の使用方法について図１、図２に基づいて説明する。ここで、使用する衣服２０は襟ぐりと袖ぐりが広く開けられたタンクトップである。衣服２０の袖ぐり２２には、身体の前側で肩よりも脇に近い部分に、衣服側取付部材２４が設けられている。衣服側取付部材２４は、例えば帯状の紐体を二つ折りして袖ぐり２２に縫い付けて形成した筒状のものであり、一対の袖ぐり２２にそれぞれ取り付けられている。着用者は、衣服２０の下にストラップレスブラジャー２６を着用する。ストラップレスブラジャー２６は、ブラジャー用ストラップが無いか、取り外し可能なものであり、ここではブラジャー用ストラップを外した状態で着用する。ストラップレスブラジャー２６には身体前側の左右にカップ部２８が設けられ、カップ部２８の、上端縁部の少し脇寄りの位置に、ブラジャー用ストラップが取り付けられるブラジャー側取付部材３０が設けられている。ブラジャー側取付部材３０は、帯状の紐体を二つ折りしてカップ部２８に縫い付けて形成した筒状のものであり、一対のカップ部２８にそれぞれ取り付けられている。
【００１８】
そして、ブラジャー用ストラップ１０の第一連結具１４を、ストラップレスブラジャー２６のブラジャー側取付部材３０に係止する。このとき、第一連結具１４のフック部１４ｂを、ブラジャー側取付部材３０に挿通する。第一連結具１４は、環部１４ａの中心の挿通孔の形状が一方向に長い溝状であるため、紐体１２の取付角度がほぼ一定となり、ストラップレスブラジャー２６に紐体１２が確実に取り付けられ、しっくりとする。
【００１９】
また、ブラジャー用ストラップ１０の第二連結具１８を、衣服２０の内側に設けられた衣服側取付部材２４に係止する。このとき、第二連結具１８のフック部１８ｂを、衣服側取付部材２４に挿通する。第二連結具１８は、環部１８ａの中心の挿通孔の形状が半円状であるため、紐体１２の取付角度が自由に変わり、ブラジャー側取付部材３０の位置や形状が異なるものでも自在に角度が調整されて適合することができる。
【００２０】
ブラジャー用ストラップ１０の長さが合わないときは、ブラジャー用ストラップ１０の端部１２ｂの位置を動かして調節し、任意の位置で止め具１６で係止する。
【００２１】
この実施形態のブラジャー用ストラップ１０によれば、簡単な構造で、ストラップレスブラジャー２６を、襟ぐりや袖ぐりが広い衣服２０の下に取り付けて着用することができる。ブラジャーのストラップが見えることがなく、外観が良好である。また、ブラジャー用ストラップ１０を介して衣服２０に取り付けられているため、ストラップレスブラジャー２６が下に位置ずれすることを防ぎ、運動の際や長時間での快適な着用が可能である。さらに、どのようなストラップレスブラジャー２６でも、ブラジャー側取付部材３０を有するものであればブラジャー用ストラップ１０の長さを調整して利用することができる。このため、着用者の体形に合ったサイズや形状の通常使用しているストラップレスブラジャー２６を着用することができ、体形の補正や胸のホールドを最適な状態で行うことができる。これにより、着用者のスタイルが良好となり、また身体にフィットして快適に着用することができる。ストラップレスブラジャー２６は普段に着用しているものを用いることができ、特別に専用のブラジャーを用意する必要がない。ブラジャー用ストラップ１０が不要なときは、衣服２０やストラップレスブラジャー２６から簡単に取り外すことができ、じゃまになることがない。
【００２２】
なお、この考案のブラジャー用ストラップは、上記実施の形態に限定されるものではなく、各部材の形状や大きさなど、適宜設定可能である。連結具と止め具の形状も変更可能であり、連結具と止め具が一体になったものでもよい。衣服の形状は、タンクトップ以外に、キャミソールや、襟だけが広く開いたもの等、いろいろなものに利用可能である。
【図面の簡単な説明】
【００２３】
【図１】この考案の一実施形態のブラジャー用ストラップの使用状態で、裏返した状態を示す正面図である。
【図２】この実施形態のブラジャー用ストラップの使用状態を示す背面図である。
【図３】この実施形態のブラジャー用ストラップの正面図である。
【図４】従来のカップ部付キャミソールを裏返した状態を示す正面図である。
【符号の説明】
【００２４】
１０  ブラジャー用ストラップ
１２  紐体
１４  第一連結具
１６  止め具
１８  第二連結具
２０  衣服
２２  袖ぐり
２４  衣服側取付部材
２６  ストラップレスブラジャー
２８  カップ部
３０  ブラジャー側取付部材
【図１】
0003120593.tif 000003
【図２】
0003120593.tif 000004
【図３】
0003120593.tif 000005
【図４】
0003120593.tif 000006